(57)【要約】      （修正有）【課題】組み合わせることにより家具のバリエーションを増やすとともに、居住空間に安定して配置することのできる畳家具セットを提供する。【解決手段】畳家具セットは、平面形状が長さ５００〜１０００ｍｍの短辺とその２倍の長さの長辺の矩形であり、高さが３００〜５００ｍｍである箱部３と、箱部の上面を覆う畳部４とから成る畳家具ユニット２と、一辺が箱部３の長辺の長さと等しく、他の一辺が箱部の高さよりも長い第１板ユニット５と、畳家具ユニット２同士又は畳家具ユニット２と第１板ユニット５とを連結する連結部材とを含む。畳家具ユニットの長辺の面に、それと長さが等しい、第１板ユニットの一辺を合致させて連結部材によって連結固定すると、背もたれを備えたソファーとなる。各ユニットを複数含む場合、ベッドや多人数掛けソファーを形成できる。【選択図】図１
0003192043.tif 000002
【実用新案登録請求の範囲】
【請求項１】
a) 平面形状が長さ500〜1000 mmの短辺とその2倍の長さの長辺の矩形であり、高さが300〜500 mmである箱部と、該箱部の上面を覆う畳部とから成る、1又は複数の畳家具ユニットと、
b) 一辺が前記箱部の長辺の長さと等しく、他の一辺が前記箱部の高さよりも長い、1又は複数の第１板ユニットと、
c) 前記畳家具ユニット同士又は前記畳家具ユニットと前記第１板ユニットとを連結する連結部材と
を含むことを特徴とする畳家具セット。
【請求項２】
さらに
d) 一辺が前記箱部の長辺の長さと等しく、他の一辺が前記畳家具ユニットの高さと等しい、1又は複数の第２板ユニット
を含むことを特徴とする請求項１に記載の畳家具セット。
【請求項３】
さらに
e) 一辺が前記箱部の短辺の長さと等しく、他の一辺が前記第１板ユニットの前記他の一辺の長さと等しい、1又は複数の第３板ユニット
を含むことを特徴とする請求項１又は２に記載の畳家具セット。
【請求項４】
さらに
f) 平面形状が、一辺が前記箱部の短辺の長さと等しく、他の一辺が該一辺の長さと同じ、又は0.5倍又は3倍の矩形であり、高さが300〜500 mmである箱部を有する畳家具ユニットを含むことを特徴とする請求項１〜３のいずれかに記載の畳家具セット。
【考案の詳細な説明】
【技術分野】
【０００１】
本考案は、上面が畳から成るシステムユニット家具のセットに関する。
【背景技術】
【０００２】
従来から、洋室に和室空間を演出し、しかも収納ができるユニット畳家具が提供されている。
例えば特許文献１には、上面が正方形の箱体の該上面外周に枠を固定し、該枠の中に畳を載置した畳家具ユニットを複数、側面において互いにボルト・ナットにより連結して、その面一の畳の上面を床面として使用することができるタイプのものが記載されている。箱体には、上面や側面に開閉する扉が形成され、又は側面に抽斗が形成され、物品の収納が可能である。
【０００３】
特許文献２には、上面が正方形の箱体の上に畳を載置した畳家具ユニットを複数並べてＬ字状にして、隣接する箱体同士を上部外周において框枠で固定することによって連結するタイプのものが記載されている。箱体は、その上面が蓋板となっており、内部が収納スペースとなっている。この家具には、Ｌ字の外辺の一辺に框枠を兼ねた台ブロックを取り付けることができる。台ブロックは、下半分が箱体と同じ高さの、外向きのコの字の収納部分となっており、その上に、数箇所で縦板によって支えられた平板（台）が固定され上半分を形成している。箱体の畳に座って台に向かう時、両足を、台を支える縦板と縦板の間の空間に通し畳から外側に出して、箱体を椅子として用いることができる。
【先行技術文献】
【特許文献】
【０００４】
【特許文献１】特開2001-353035号公報
【特許文献２】特開2004-324111号公報
【考案の概要】
【考案が解決しようとする課題】
【０００５】
このようなユニット畳家具では、使用者のニーズに合わせて様々なバリエーションの家具とすることができることが望まれる。また、その家具を居住空間に安定して配置することができることが望まれる。特許文献１のユニット畳家具では、各ユニットを収納容器として使用することができるものの、複数のユニットを組み合わせた１つの家具としては、その上面を床面とした、高さが低い面一の床、或いは座面としたベンチ等として使用できるのみである。特許文献２に記載のユニット畳家具も、各ユニットが連結されて形成された家具の一辺は机及び椅子となるものの、基本的には特許文献１のユニット畳家具と同様に、箱体の上面を床面とした床として使用するか、周囲のどこかに座るベンチとして使用することになる。すなわち、いずれも、複数のユニットを組み合わせて形成されるのは床として認識され利用されるものであり、様々なバリエーションの家具として利用され得るものではない。また、床又はベンチとなるため、様々な平面形状に組み合わせたものを、広いスペースに配置するには適しているものの、一般の家庭の各部屋（すなわち、居住空間）に家具として置くには適したものとは言えなかった。
【０００６】
本考案が解決しようとする課題は、組み合わせることによって様々な家具とすること（すなわち、家具のバリエーションを増やすこと）が可能で、しかも組み立てた家具を居住空間に安定して配置することのできるユニット畳家具のセットを提供することである。
【課題を解決するための手段】
【０００７】
上記課題を解決するために成された本考案は、
a) 平面形状が長さ500〜1000 mmの短辺とその2倍の長さの長辺の矩形であり、高さが300〜500 mmである箱部と、該箱部の上面を覆う畳部とから成る、1又は複数の畳家具ユニットと、
b) 一辺が前記箱部の長辺の長さと等しく、他の一辺が前記箱部の高さよりも長い、1又は複数の第１板ユニットと、
c) 前記畳家具ユニット同士又は前記畳家具ユニットと前記第１板ユニットとを連結する連結部材と
を含むことを特徴とするシステムユニット畳家具セットである。
【０００８】
本考案のシステムユニット畳家具セットでは、使用者は、畳家具ユニットの長辺の面に、それと長さが等しい、第１板ユニットの一辺を合致させ、連結部材によって連結固定して1つのシステムユニット畳家具を形成する。こうして形成されたシステムユニット畳家具は、背部を備えたソファー型家具となり、畳家具ユニットのみの組み合わせによる床型家具としての使用に加え、家具のバリエーションが増える。また、ソファー型家具であるため、広いスペースに自在に置くこともできるし、一般家庭の狭い部屋等の居住空間にも違和感なく、安定して置くことができる。
【０００９】
前記システムユニット畳家具セットにおいて、前記畳家具ユニットや第１板ユニットを複数連結することにより、さらに家具のバリエーションを増やすことができる。例えば、畳家具ユニット3個と第１板ユニット1個から、畳家具ユニットのうちの2個を長辺を合致させて連結部材で連結し、その連結された2個の畳家具ユニットの2つの短辺が並ぶ面にもう1個の畳家具ユニットの1つの長辺を連結し、さらにそのもう1個の畳家具ユニットのもう1つの長辺に第１板ユニットを連結することにより、ベッド型家具を形成することができる。このベッド型家具を2台横に並べることによりダブルベッドとすることもできる。
【００１０】
また、2個の畳家具ユニットを互いの短辺を合致させて連結し、さらに同じ側にある各畳家具ユニットの長辺の面に第１板ユニットを連結することにより、背もたれを備えた横長の（多人数掛けの）ソファー型家具を形成することができる。
【００１１】
前記システムユニット畳家具セットは、さらに
d) 一辺が前記箱部の長辺の長さと等しく、他の一辺が前記畳家具ユニットの高さと等しい、1又は複数の第２板ユニット
を含んでもよい。
【００１２】
この第２板ユニットを、家具（例えば、前述のベッド型家具）の第１板ユニットが連結固定された面に対向する面に連結固定することによって、家具の尾部（フットボード）を形成することができる。
【００１３】
また、第２板ユニットにより、横並びの2個の畳家具ユニットが連結固定されるため、それら2個の畳家具ユニット同士は連結固定する必要がなく、連結操作が楽になる。さらに、例えばベッド型家具として使用した場合に枕や布団がベッドから落ちるのを防ぐこともできる。
【００１４】
前記システムユニット畳家具セットは、さらに
e) 一辺が前記箱部の短辺の長さと等しく、他の一辺が前記第１板ユニットの前記他の一辺の長さと等しい、1又は複数の第３板ユニット
を含んでもよい。
【００１５】
この第３板ユニットの前記一辺を前記箱部の短辺の面に合致させ連結すれば、該第３板ユニットを背もたれとし、足を伸ばせるソファー型家具を形成することができる。
【００１６】
前記システムユニット畳家具セットは、さらに、
f) 平面形状が、一辺が前記箱部の短辺の長さと等しく、他の一辺が該一辺の長さと同じ、又は0.5倍又は3倍の矩形であり、高さが300〜500 mmである箱部を有する畳家具ユニットを含んでもよい。
【００１７】
この構成により、形成されるシステムユニット畳家具の寸法や形状が多彩となり、家具のバリエーションがより増える。
【考案の効果】
【００１８】
本考案のシステムユニット畳家具セットによると、組み合わせることによって様々な家具とすることが可能で、しかも組み立てた家具を居住空間に安定して配置することができる。
【図面の簡単な説明】
【００１９】
【図１】本考案に係るシステムユニット畳家具セットの第１実施例を組み立てた家具の斜視図。
【図２】同実施例の畳家具ユニットの構成図。
【図３】同実施例の畳家具ユニットの箱部の上面図(a)及び底面図(b)。
【図４】同実施例の畳家具ユニットの畳部の部分拡大断面図(a)及び底面図(b)。
【図５】同実施例の第１板ユニットの上面図(a)、底面図(b)、及び正面図(c)。
【図６】本考案のシステムユニット畳家具セットの第２実施例を組み立てた家具の斜視図。
【図７】同実施例の変形例を示す斜視図。
【図８】本考案に係るシステムユニット畳家具セットの畳家具ユニットの他の例の構成図。
【図９】本考案に係るシステムユニット畳家具セットの畳家具ユニットの他の配置例。
【考案を実施するための形態】
【００２０】
（第１実施例）
本考案に係るシステムユニット畳家具セット（以下、「畳家具セット」と略す。）の第１実施例を、図１〜図５を参照しながら説明する。本実施例の畳家具セットは、3個の畳家具ユニット２と、1個の第１板ユニット５と、1個の第２板ユニット６と、畳家具ユニット２同士、及び第１板ユニット５又は第２板ユニット６と畳家具ユニット２を連結固定するボルト・ナット等の連結具のセット8組とから構成され、図１に示すようなベッド１が作られる。
【００２１】
畳家具ユニット２は、図２に示すように、上面が開口された直方体の箱部３と、該箱部３の上面を覆って蓋となる畳部４とから成る。
箱部３は、厚さが約20 mmの、2枚の正方形の底面板３３（図３(b)参照）、2枚の長方形の幅広側面板３１及び2枚の幅狭側面板３２をネジ３６で連結固定し、図２に示すように組み立てたものである。箱部３の外寸は、Ｗ１約1200 mm×Ｄ１約600 mm×Ｈ１約430 mmである。箱部３の内部中央には、1枚の仕切板３４が設けられている。箱部３同士又は箱部３と他のユニット（本実施例では第１板ユニット５、第２板ユニット６）を連結具で連結するために、幅広側面板３１には2つの孔３５が、幅狭側面板３２には1つの孔３５が設けられている。
なお、箱部３の底面は、1:2長方形の一枚ものから形成されてもよい。
また、箱部３の側面には抽斗を設けてもよい。
【００２２】
畳部４は、平面形状が、箱部３の外寸に等しい寸法（すなわち、Ｗ１約1200 mm×Ｄ１約600 mm）の矩形で、図４(a)に示すように、積層構造を有する。底部は厚さ約15 mmのパーチクルボード層４３で、その上に厚さ約5 mmのウレタンパッド層４２が設けられ、さらにその上に製織された い草層４１が設けられている。畳部４の下面、すなわちパーチクルボード層４３の下面周囲には、図４(b)に示すように、この畳部４を箱部３上に置いたときに横ズレしないように、高さ約9 mm、幅約12 mmの合板製の縁板４４が設けられている。
【００２３】
第１板ユニット５は、厚さが約20 mmの、1枚の上面板５１と2枚の長辺側面板５２と2枚の短辺側面板５３とをネジで連結固定し、図５に示すように、底面が開口した箱状に組み立てたものである。第１板ユニット５の箱の外寸は、幅Ｗ約1200 mm×奥行Ｄ約200 mm×高さＨ約700 mmである。この第１板ユニット５の1枚の長辺側面板５２には、箱部３の該幅広側面板３１の孔３５に対応する箇所に孔５５が設けられている（図５(c)参照）。
【００２４】
第２板ユニット６は、第１板ユニット５と同様の構成の、底面が開口した箱状のもので、その箱の外寸は、幅Ｗ約1200 mm×奥行Ｄ約150 mm×高さＨ約450 mmである。この第２板ユニット６の1枚の長辺側面板にも、前記幅広側面板３１の孔３５に対応する箇所に孔が設けられている。
【００２５】
本実施例の畳家具セットからベッド１を組み立てるには、まず、畳家具ユニット２の箱部３と、第１板ユニット５、第２板ユニット６をそれぞれ前述の通り箱状に組み立てる。
それから、第１板ユニット５の孔５５が設けられている側の面（長辺側面板５２）と1個の箱部３の長辺とを合わせ、両者を連結具で連結固定する。また、第２板ユニット６の孔が設けられている面（長辺側面板）に残りの2個の箱部３の短辺2つを合わせ、各箱部３を第２板ユニットに連結固定する。
その後、第１板ユニット５に連結された1個の箱部３の他の長辺と、第２板ユニット６に連結された2個の箱部３の他の短辺2つとを合わせ、両者を連結固定する。もちろん、以上の連結の順番は適宜変更することができる。
なお、第２板ユニット６に横並びに連結されている2個の箱部３同士を連結具で連結しておいてもよいが、これらは、第２板ユニット６ともう1個の箱部３の長辺とに連結固定されているため、互いに連結しなくても1つの家具として安定して使用できる。
【００２６】
最後に、各箱部３の上に畳部４を載せるとベッド１が完成する（図１）。畳部４は、箱部３の上部内周に、その最下層の縁板４４の外周が嵌め込まれるようになっている。これにより、畳部４が箱部３の上部でずれることが防止される。もちろん、箱部３の上に畳部４を載せる前に各箱部３の内部に物品を収納することができる。
また、箱部３の幅広側面板３１及び幅狭側面板３２にある、連結に使用されていない孔３５（これらは、ベッド１の外側面にある。）には、これらを覆うサイズのキャップ９を被せる。これにより、箱部３内部の収納スペースに埃やゴミが入るのを防ぐとともに、外観を良くする。
【００２７】
本実施例の畳家具セットによると、使用者は、ヘッドボードとフットボードを備えたベッド１を作ることができる。その結果、家具のバリエーションが増える。もちろん、使用者は、好みや配置する部屋の大きさ、演出したい雰囲気等に合わせて、第１板ユニット５及び／又は第２板ユニット６を使用しなくてもよい。
【００２８】
第１板ユニット５、第２板ユニット６により、それぞれ、ベッド１にヘッドボード、フッドボードが形成されるため、居住空間に家具として安定して配置できるとともに、枕や布団がベッド１から落ちるのを防止できる。
【００２９】
このベッド１を2台横に並べることによりダブルベッドとすることもできる。
【００３０】
（第２実施例）
【００３１】
本考案に係る畳家具セットの第２実施例を、図６を参照しながら説明する。本実施例の畳家具セットは、2個の畳家具ユニット２と、2個の第１板ユニット５と、畳家具ユニット２同士、及び畳家具ユニット２と第１板ユニット５を連結固定するボルト・ナット等の連結具のセット5組とから構成され、畳家具セットからユニット畳家具としてソファー１１が作られる。
【００３２】
各畳家具ユニット２と各第１板ユニット５は、第１実施例のものと同じものである。
【００３３】
本実施例の畳家具セットからソファー１１を組み立てるには、まず、畳家具ユニット２の箱部３と、第１板ユニット５をそれぞれ前述の通り箱状に組み立てる。
それから、各第１板ユニット５の孔５５が設けられている側の面（長辺側面板５２）と1個の箱部３の長辺を合わせ、両者を連結具で連結固定する。その後、この2個の箱部３を、連結された第１板ユニット５が同じ側に来るように短辺を合わせて縦に並べて、両者を連結具で連結固定する。もちろん、以上の連結の順番は適宜変更して構わない。
【００３４】
最後に、各箱部３の上に畳部４を載せるとソファー１１が完成する（図６）。箱部３の幅広側面板３１及び幅狭側面板３２にある、連結具が使用されていない孔３５（これらは、ソファー１１の外側面にある。）には、第１実施例と同様に、これらを覆うサイズのキャップ９を被せる。
【００３５】
本実施例の畳家具セットによると、使用者は、背もたれ（背板）を備えた、横長の（多人数掛けの）ソファー１１を作ることができ、家具のバリエーションが増える。もちろん、使用者は、好みや配置する部屋の大きさ、演出したい雰囲気等に合わせて、2つの畳家具ユニット２を連結せずに、それぞれを別個の（少人数掛けの）ソファーとして使用してもよいし、また、第１板ユニット５を使用しなくてもよい。
【００３６】
また、このソファー１１には背もたれがあるため、居住空間の壁沿いに配置しなくても家具として安定して使用でき、例えば居住空間に単独で置いても安定する。
【００３７】
図７は、第２実施例のソファー１１の別の変形例２である。この変形例２では、第２実施例の畳家具セットに、さらに、1個の第３板ユニット８と、連結具のセット1組とを含む。
第３板ユニット８は、第１板ユニット５と同様の構成の、底面が開口した箱状のもので、その箱の外寸は、幅Ｗ約600 mm×奥行Ｄ約200 mm×高さＨ約700 mmである。この第３板ユニット８の1枚の長辺側面板には、箱部３の幅狭側面板３２の孔３５に対応する箇所に孔が設けられている。
【００３８】
ソファー１１の一端にある幅狭側面板３２と第３板ユニット８を連結具によって連結固定する。これにより、ソファーの短辺側の一端にも背もたれを形成して、ソファー１１をカウチソファーのようにし、背もたれを背にして足を伸ばして使用することも可能となり、家具のバリエーションが増える。
【００３９】
上記実施例及び変形例は本発明の一例であり、本発明の趣旨の範囲で適宜に変形や修正、追加が許容される。
例えば、第１板ユニット、第２板ユニット、第３板ユニットは、上記実施例のように複数の平板から形成するのではなく、一枚の板であってもよい。この場合は、奥行（すなわち一枚板の厚さ）は上記実施例の奥行Ｄより短くてもよい。
【００４０】
さらに、畳家具ユニットの寸法は上記の例に限定されることはなく、図８(a)に示す畳家具ユニット２１のように、畳部の寸法が縦約300 mm×横約600 mmであってもよい。この場合、畳家具ユニット２１の幅狭側面板に連結用の孔が無くても構わない。
また、畳部の寸法は、縦（短辺）と横（長辺）の長さ比が１対２に限定されることはなく、図８(b)又は図８(c)に示すような、畳部の縦と横の長さ比が、１対１である畳家具ユニット２２又は１対３である畳家具ユニット２３を含んでいてもよい。
【００４１】
図９に、本考案に係る畳家具セットの様々な寸法の畳家具ユニットを組み合わせの例の上面図を示す。図９では、各ユニットの外形のみを実線で示している。これらに各板ユニットを必要な数だけ組み合わせることにより、使用者は、ニーズや部屋の大きさに合わせて様々な寸法及び形態のユニット畳家具を揃えることができる。
【符号の説明】
【００４２】
１、１１…ユニット畳家具
２、２１、２２、２３…畳家具ユニット
３…箱部
３１…幅広側面板
３２…幅狭側面板
３３…底面板
３４…仕切板
３５…孔
３６…ネジ
４…畳部
４１…い草層
４２…ウレタンパッド層
４３…パーチクルボード層
４４…縁板
５…第１板ユニット
５１…上面板
５２…長辺側面板
５３…短辺側面板
５５…孔
６…第２板ユニット
８…第３板ユニット
９…キャップ
【図１】
0003192043.tif 000003
【図２】
0003192043.tif 000004
【図３】
0003192043.tif 000005
【図４】
0003192043.tif 000006
【図５】
0003192043.tif 000007
【図６】
0003192043.tif 000008
【図７】
0003192043.tif 000009
【図８】
0003192043.tif 000010
【図９】
0003192043.tif 000011